(57)【要約】【課題】エレベータの運転の停止中に利用者に対して、より確実に注意喚起を行うことのできるエレベータ用注意喚起装置を提供すること。【解決手段】人感センサ４０と、アナウンス装置３０と、点検用スイッチ３５と、を備える。人感センサ４０は、エレベータの乗りかご１０に乗降する際の出入口に配設され、エレベータの乗り場５０から乗りかご１０に乗り込むエレベータの利用者６０の接近を検出するものである。アナウンス装置３０は、乗りかご１０と乗り場５０とのうち少なくとも一方に配設されていると共に、人感センサ４０で利用者６０を検出した場合に、利用者６０に対して音声で注意喚起を行うものである。点検用スイッチ３５は、人感センサ４０及びアナウンス装置３０の作動の入切の切り替えを行うものである。【選択図】図１
2015048245.tif 000002
【特許請求の範囲】
【請求項１】
エレベータの乗りかごに乗降する際の出入口に配設され、前記エレベータの乗り場から前記乗りかごに乗り込む前記エレベータの利用者の接近を検出する接近検出手段と、
前記乗りかごと前記乗り場とのうち少なくとも一方に配設されていると共に、前記接近検出手段で前記利用者を検出した場合に、前記利用者に対して音声で注意喚起を行う注意喚起手段と、
前記接近検出手段及び前記注意喚起手段の作動の入切の切り替えを行う入切切替手段と、
を備えることを特徴とするエレベータ用注意喚起装置。
【発明の詳細な説明】
【技術分野】
【０００１】
本発明の実施形態は、エレベータ用注意喚起装置に関する。
【背景技術】
【０００２】
従来のエレベータの中には、エレベータの運転時に乗り場の三方枠とエレベータ扉との間に人体が挟まれることを防止するために、三方枠にセンサを設け、エレベータ扉への人体の接近をセンサで検出した場合には、利用者に対して注意喚起を行うものがある。
【０００３】
一方、エレベータの点検作業時など、エレベータの運転の停止中は、通常の運転時に作動する機器類も停止するため、このようなエレベータ扉への人体の接近を検出するセンサも作動しなくなる。このため、エレベータの運転の停止時でも、エレベータ扉が開いている状態の場合には、利用者が乗りかご内に乗り込んでしまう虞がある。従って、従来のエレベータでは、運転を停止して点検作業を行う場合には、作業中である旨の掲示物を乗り場に掲示して、利用者に対して注意喚起を行っていた。
【先行技術文献】
【特許文献】
【０００４】
【特許文献１】特開２０１０−１６８１８１号公報
【発明の概要】
【発明が解決しようとする課題】
【０００５】
しかしながら、掲示物による注意喚起は、目視による注意喚起であるため、利用者が掲示物を見落とした場合、注意喚起が利用者に伝わらない虞がある。また、掲示物では、盲目等の視覚に障がいがある利用者には、注意喚起を行うことが困難なものとなっている。これらのように、エレベータの運転の停止中における注意喚起は、大変困難なものとなっていた。
【０００６】
本発明は、上記に鑑みてなされたものであって、エレベータの運転の停止中に利用者に対して、より確実に注意喚起を行うことのできるエレベータ用注意喚起装置を提供することを目的とする。
【課題を解決するための手段】
【０００７】
実施形態に係るエレベータ用注意喚起装置は、接近検出手段と、注意喚起手段と、入切切替手段と、を備える。接近検出手段は、エレベータの乗りかごに乗降する際の出入口に配設され、エレベータの乗り場から乗りかごに乗り込むエレベータの利用者の接近を検出するものである。注意喚起手段は、乗りかごと乗り場とのうち少なくとも一方に配設されていると共に、接近検出手段で利用者を検出した場合に、利用者に対して音声で注意喚起を行うものである。入切切替手段は、接近検出手段及び注意喚起手段の作動の入切の切り替えを行うものである。
【図面の簡単な説明】
【０００８】
【図１】図１は、実施形態に係るエレベータ用注意喚起装置を備えるエレベータが有する乗りかご内の概略図である。
【図２】図２は、図１のＡ−Ａ断面図である。
【図３】図３は、図２に示す人感センサの斜視図である。
【図４】図４は、実施形態に係るエレベータ用注意喚起装置を用いて注意喚起を行う際のフロー図である。
【発明を実施するための形態】
【０００９】
以下に、本発明に係るエレベータ用注意喚起装置の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１０】
〔実施形態〕
図１は、実施形態に係るエレベータ用注意喚起装置を備えるエレベータが有する乗りかご内の概略図である。本実施形態に係るエレベータ用注意喚起装置１を備えるエレベータが有する乗りかご１０には、エレベータの利用者の乗りかご１０に乗降する際の出入口である乗りかご側出入口１１に、開閉自在な扉である乗りかご扉１２が設けられている。また、乗りかご１０内には、乗りかご１０に乗り込んだ利用者がエレベータに対して任意の動作をさせる際に操作をするかご操作盤２０が配設されている。このかご操作盤２０は、乗りかご１０内における乗りかご扉１２の側方の壁面に配設されている。
【００１１】
かご操作盤２０には、各種情報を表示するかご内表示部２１と、乗りかご１０を移動させる目的階を選択して登録する行先登録ボタンである行先ボタン２３と、が設けられている。このうち、かご内表示部２１は、多数のＬＥＤ（Ｌｉｇｈｔ  Ｅｍｉｔｔｉｎｇ  Ｄｉｏｄｅ）を有するＬＥＤパネルや液晶パネル等によって構成される表示部を有しており、任意の情報を表示することが可能になっている。かご内表示部２１は、例えば、乗りかご１０が現在位置している階の表示や、地震の発生時においてエレベータの運転を停止する際に、その旨の表示等を行う。
【００１２】
また、行先ボタン２３は、乗りかご１０が着床可能な階に対応して複数が設けられている。これにより、目的階を選択して呼び操作を行う際には、目的階に対応する行先ボタン２３に押圧操作を行って呼び操作を行うことにより、乗りかご１０の移動時における目的階を登録する。
【００１３】
また、かご操作盤２０には、乗りかご１０がいずれかの階に着床中に乗りかご扉１２の開操作を行う開ボタン２４と、同様に乗りかご１０がいずれかの階に着床中に乗りかご扉１２の閉操作を行う閉ボタン２５と、が配設されている。
【００１４】
さらに、かご操作盤２０には、エレベータの利用者に対して、音声で注意喚起を行う注意喚起手段であるアナウンス装置３０が設けられており、アナウンス装置３０は、アナウンス用基板３１とスピーカ３２とから構成されている。このうち、アナウンス用基板３１は、スピーカ３２から任意の音声を発することができるように電気回路が構成された基板になっており、かご操作盤２０内に配設されている。また、スピーカ３２は、かご操作盤２０の表面に配設されると共に、アナウンス用基板３１の電気的に接続されており、アナウンス用基板３１から伝達される電気信号に応じて、音声を発することができるようになっている。
【００１５】
また、かご操作盤２０には、アナウンス装置３０の作動の入切の切り替えを行う入切切替手段である点検用スイッチ３５が設けられている。この点検用スイッチ３５は、トグルスイッチ等の電路の開閉を行う部材により構成されている。また、点検用スイッチ３５は、かご操作盤２０における行先ボタン２３や、開ボタン２４、閉ボタン２５等の、エレベータの通常の運転時に操作を行う部材よりも下方に配設されており、例えば、かご操作盤２０の下端寄りの位置に配設されている。
【００１６】
図２は、図１のＡ−Ａ断面図である。図３は、図２に示す人感センサの斜視図である。乗り場５０には、着床した乗りかご１０の乗りかご側出入口１１に対向する位置に、利用者６０が乗りかご１０に乗降する際の出入口である乗り場側出入口５１が形成されており、乗り場側出入口５１には、開閉自在な扉である乗り場扉５２が設けられている。この乗り場扉５２は、乗り場５０に乗りかご１０が着床すると、乗りかご扉１２と一体となって開閉するように設けられており、これにより乗り場扉５２と乗りかご扉１２とは、乗りかご１０内と乗り場５０との間で開閉するエレベータ扉５として構成されている。
【００１７】
また、乗りかご１０には、乗りかご側出入口１１の下端部に、エレベータの利用者６０の接近を検出する接近検出手段である人感センサ４０が配設されている。この人感センサ４０は、例えば、赤外線や超音波等の検出波を照射し、利用者６０に当たって反射した検出波を検知することにより、利用者６０の接近を検出する。このため、人感センサ４０は、利用者６０が乗りかご１０に乗り込む際における利用者６０が位置する側に、検出波の照射や検知を行う検出部４１が向く向きで配設されている。即ち、人感センサ４０は、乗りかご側出入口１１の下端部に配設された場合には、検出部４１が上方を向く向きで配設される。
【００１８】
この人感センサ４０は、電気信号を伝達する配線コード４５が、アナウンス装置３０が有するアナウンス用基板３１や点検用スイッチ３５に接続されている。これにより、人感センサ４０での検出結果は、電気信号によってアナウンス装置３０に伝達可能になっており、また、点検用スイッチ３５は、アナウンス装置３０の入切のみでなく、人感センサ４０の作動の入切の切り替えも行うことが可能になっている。
【００１９】
なお、人感センサ４０は、これ以外の構成によって設けられていてもよい。人感センサ４０は、例えば、検出波の照射側と受ける側とが別々に設けられて乗りかご側出入口１１の左右両端に配設され、利用者６０がいない場合は検出波を検知し続け、利用者６０が検出波を遮って検知しなくなることにより、利用者６０の接近を検出してもよい。
【００２０】
この実施形態に係るエレベータ用注意喚起装置１は、以上のごとき構成からなり、以下、その作用について説明する。エレベータの通常の運転時は、利用者６０は乗り場５０に設置される操作盤（図示省略）に対して呼び操作を行うことにより、自分がいる乗り場５０に乗りかご１０を呼ぶ。乗りかご１０が乗り場５０に着床したら、エレベータ扉５が開くため、乗り場５０にいる利用者６０は乗りかご１０内に入る。即ち、乗りかご１０が乗り場５０に着床すると、乗りかご側出入口１１と乗り場側出入口５１とは対向するため、エレベータ扉５が開くと、乗りかご側出入口１１と乗り場側出入口５１とによって乗り場５０と乗りかご１０内とは連通する。このため、乗り場５０にいる利用者６０は、乗り場側出入口５１及び乗りかご側出入口１１を通って、乗りかご１０に乗り込む。
【００２１】
なお、エレベータの通常運転時には、かご操作盤２０に設けられている点検用スイッチ３５をＯＦＦにしておく。これにより、アナウンス装置３０と人感センサ４０とは作動しないため、人感センサ４０は、乗り場５０から乗りかご１０に乗り込む利用者６０を検出せず、アナウンス装置３０も音声を発しない。
【００２２】
乗りかご１０に乗り込んだ利用者６０は、かご操作盤２０の操作を行うことにより、エレベータに所望の動作を行わせる。具体的には、かご操作盤２０の行先ボタン２３に対して押圧操作を行うことにより、目的階の呼び登録を行う。これにより、乗りかご１０を目的階に移動させる。乗りかご１０が目的階の乗り場５０に着床すると、再びエレベータ扉５が開くため、乗りかご１０内の利用者６０は、乗りかご側出入口１１及び乗り場側出入口５１を通って、乗りかご１０内から乗り場５０に出る。これにより、利用者６０は目的階に移動する。
【００２３】
エレベータの通常の運転時は、これらのように作動するが、エレベータは保守点検等により、運転を停止させることがある。このように運転を停止させる場合には、利用者６０が不用意に乗りかご１０に乗り込まないように、利用者６０に対して注意喚起を行う。具体的には、乗り場５０に、点検作業中である旨を記載した掲示物を掲示する。さらに、本実施形態に係るエレベータ用注意喚起装置１を備えるエレベータでは、運転を停止して点検作業を行う場合には、エレベータの運転時にはＯＦＦになっている点検用スイッチ３５をＯＮにする。これにより、アナウンス装置３０や人感センサ４０を含む電気回路を閉じ、エレベータ用注意喚起装置１を作動させる。
【００２４】
人感センサ４０は、点検用スイッチ３５をＯＮにすることにより通電し、検出部４１から検出波を照射し続けて、検出波の反射波の有無を検出し続ける。即ち、人感センサ４０は、乗りかご側出入口１１の下方側から上方に向けて検出波を照射し、乗りかご側出入口１１を通る利用者６０等で反射した反射波の有無を検出する。
【００２５】
一方、エレベータの点検作業時において、乗りかご１０がいずれかの乗り場５０に着床した状態でエレベータ扉５が開いている場合、乗り場５０にいる利用者６０の中には、運転が停止していることを認識せずに乗りかご１０に乗り込む者が現れる可能性がある。特に、盲目等の視覚に障がいがある利用者６０は、エレベータの運転が停止中であることを視覚情報によって認識することが困難であるため、乗り場５０に視覚に障がいがある利用者６０がいる場合は、運転が停止しているエレベータの乗りかご１０に乗り込む可能性が高くなる。
【００２６】
人感センサ４０は、乗りかご側出入口１１の下方側から上方に向けて検出波を照射し続けているため、このような利用者６０が乗りかご１０が乗り込むために乗りかご側出入口１１を通った場合、検出波は乗りかご側出入口１１を通る利用者６０に当たって反射する。人感センサ４０からの検出波は、利用者６０の下方から利用者６０に当たるため、利用者６０で反射した反射波は、下方に向かって反射し、人感センサ４０の方向に向かう。この反射波が人感センサ４０の検出部４１に到達すると、人感センサ４０は反射波が有ったことを検出する。
【００２７】
人感センサ４０で反射波を検出すると、人感センサ４０は、その情報をアナウンス装置３０のアナウンス用基板３１に伝達する。人感センサ４０から、反射波の検出の情報を受けたアナウンス用基板３１は、現在エレベータは運転を停止している旨の情報を音声によって利用者６０に伝えるための信号として、予め記憶されている音声信号を、スピーカ３２に伝達する。スピーカ３２は、この音声信号に応じて音を出力し、現在エレベータは運転を停止しているため乗りかご１０から降りて下さい、等の音声を発する。
【００２８】
これにより、アナウンス装置３０は、エレベータは運転が停止中である旨の注意喚起のアナウンスを流し、乗りかご１０に乗り込んだ利用者６０に対して注意喚起を行う。注意喚起が行われた利用者６０は、速やかに乗りかご１０から降りるため、エレベータの点検作業を行う作業者は、点検作業を安全に行うことができる。
【００２９】
点検作業が終わったら、ＯＮになっている点検用スイッチ３５をＯＦＦにする。これにより、アナウンス装置３０や人感センサ４０を含む電気回路を開いて人感センサ４０での検出波の照射を停止し、エレベータ用注意喚起装置１の作動を終了させる。
【００３０】
次に、本実施形態に係るエレベータ用注意喚起装置１を用いて、エレベータの点検作業時にエレベータの利用者６０に対して注意喚起を行う場合の動作の流れについて説明する。図４は、実施形態に係るエレベータ用注意喚起装置を用いて注意喚起を行う際のフロー図である。エレベータの運転を停止して点検作業を行う場合には、まず、乗りかご１０を着床させてエレベータ扉５を開いた状態にし、点検作業の準備を行う（ステップＳＴ１１）。次に、点検用スイッチ３５をＯＮにする（ステップＳＴ１２）。これにより、アナウンス装置３０と人感センサ４０とを作動させ、人感センサ４０からは、利用者６０を検出する検出波を照射させる。
【００３１】
エレベータ用注意喚起装置１の作動中は、このように検出波を照射する人感センサ４０で、利用者６０を検出したか判断する（ステップＳＴ１３）。即ち、乗りかご側出入口１１を通る利用者６０で反射する反射波の有無に基づいて、乗りかご１０に乗り込む利用者６０の有無を、人感センサ４０で検出する。
【００３２】
乗りかご側出入口１１を通る利用者６０が無く、人感センサ４０で利用者６０を検出しない場合（ステップＳＴ１３、Ｎｏ判定）には、点検用スイッチ３５はＯＦＦであるか否かを判断する（ステップＳＴ１４）。この判断により、点検用スイッチ３５はＯＦＦではないと判断された場合（ステップＳＴ１４、Ｎｏ判定）には、人感センサ４０での利用者６０の検出を継続する（ステップＳＴ１３）。一方、点検用スイッチ３５はＯＦＦであると判断された場合（ステップＳＴ１４、Ｙｅｓ判定）には、エレベータ用注意喚起装置１の動作を終了する。
【００３３】
これらに対し、利用者６０が乗りかご側出入口１１を通ることにより、人感センサ４０で利用者６０を検出した場合（ステップＳＴ１３、Ｙｅｓ判定）には、アナウンス装置３０によって注意喚起アナウンスを流す（ステップＳＴ１５）。即ち、アナウンス用の音声信号をアナウンス用基板３１からスピーカ３２に対して出力し、この音声信号に基づいて、スピーカ３２から音声を発する。これにより、乗りかご１０に乗り込んだ利用者６０に対して、エレベータは現在運転を停止している旨の注意喚起を行う。
【００３４】
注意喚起のアナウンスを流したら、点検用スイッチ３５はＯＦＦであるか否かを判断し（ステップＳＴ１４）、人感センサ４０での利用者６０の検出を継続したり（ステップＳＴ１３）、エレベータ用注意喚起装置１の動作を終了したりする。
【００３５】
なお、図４及び図４を用いた上記の説明では、点検用スイッチ３５の状態は、便宜上、動作の流れの中で判定するものとして記載されているが（ステップＳＴ１４参照）、点検用スイッチ３５は、エレベータ用注意喚起装置１の状態に関わらず、いつでもＯＦＦにすることができる。つまり、点検用スイッチ３５は、エレベータ用注意喚起装置１が有する電気回路の開閉器であるため、どのタイミングでＯＦＦにしても、エレベータ用注意喚起装置１の動作を終了させることができる。
【００３６】
以上の実施形態に係るエレベータ用注意喚起装置１は、乗りかご側出入口１１に、利用者６０の接近を検出する人感センサ４０を配設し、人感センサ４０で利用者６０を検出したら音声で注意喚起を行うため、利用者６０に対して適切に注意喚起を行うことができる。さらに、点検用スイッチ３５を設けることにより、通常の運転時は点検用スイッチ３５をＯＦＦにし、エレベータの運転を停止する場合のみＯＮにすることにより、エレベータの運転の停止時のみ、乗りかご１０に乗り込む利用者６０に対して注意喚起できる。この結果、エレベータの運転の停止中に利用者６０に対して、より確実に注意喚起を行うことができる。
【００３７】
また、利用者６０への注意喚起は、アナウンス装置３０によって音声にて行うので、現在エレベータは点検作業中であるため、乗りかご１０に乗り込むことは危険であることを促すことができる。さらに、音声によって注意喚起を行うことにより、エレベータの運転が停止中であることを視覚情報によって得ることが困難な、視覚に障がいがある利用者６０に対しても伝えることができる。これらの結果、エレベータの運転の停止中に利用者６０に対して、より確実に注意喚起を行うことができる。
【００３８】
また、人感センサ４０とアナウンス装置３０とは、共に乗りかご１０に配設されているため、１組の人感センサ４０とアナウンス装置３０のみで、乗りかご１０が着床している階に関わらず、乗りかご１０に乗り込む利用者６０に対して注意喚起を行うことができる。この結果、製造コストの上昇を抑えつつ、エレベータの運転の停止中に利用者６０に対して注意喚起を行うことができる。
【００３９】
〔変形例〕
なお、上述したエレベータ用注意喚起装置１では、人感センサ４０とアナウンス装置３０とは、乗りかご１０に配設されているが、これらは、エレベータの乗り場５０側に配設されていてもよい。例えば、人感センサ４０は、乗りかご側出入口１１と共に、乗りかご１０に乗降する際の出入口を構成する乗り場側出入口５１を、各階の乗り場５０に設ける。また、この場合、アナウンス装置３０や点検用スイッチ３５も、各階の乗り場５０に設置される操作盤に設ける。
【００４０】
この場合、エレベータの運転を停止する際には、乗りかご１０が着床している乗り場５０の点検用スイッチ３５をＯＮにする。これにより、運転の停止中においてエレベータ扉５が開いている際に、利用者６０が乗りかご１０に乗り込もうとした場合、人感センサ４０は、利用者６０が乗り場側出入口５１を通過する時点で利用者６０を検出することができる。従って、利用者６０が乗りかご１０に乗り込む前に、アナウンス装置３０で注意喚起を行うことができ、エレベータの運転の停止中に利用者６０に対して、より確実に注意喚起を行うことができる。
【００４１】
また、上述したエレベータ用注意喚起装置１では、エレベータの運転の停止中に乗りかご１０に乗り込もうとする利用者６０に対する注意喚起は、アナウンス装置３０から流れる音声のみであるが、音声以外で注意喚起を行ってもよい。例えば、人感センサ４０で利用者６０を検出した場合には、音声で注意喚起を行うと共に、乗りかご１０内の照明を点滅させてもよい。これにより、聴覚による注意喚起と視覚による注意喚起を行うことができるので、利用者６０に対して、より確実に注意喚起を行うことができる。
【００４２】
また、かご操作盤２０には、施錠することにより一般の利用者６０が開閉できない開閉蓋を設け、点検用スイッチ３５は、開閉蓋を開けた内部に設置するのが好ましい。このように、開閉蓋の内部に点検用スイッチ３５を設置することにより、一般の利用者６０は点検用スイッチ３５に触れることができなくなるため、不用意に点検用スイッチ３５をＯＮにすることを抑制でき、安全性を向上させることができる。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１  エレベータ用注意喚起装置
５  エレベータ扉
１０  乗りかご
１１  乗りかご側出入口
１２  乗りかご扉
２０  かご操作盤
２１  かご内表示部
２３  行先ボタン
２４  開ボタン
２５  閉ボタン
３０  アナウンス装置（注意喚起手段）
３１  アナウンス用基板
３２  スピーカ
３５  点検用スイッチ（入切切替手段）
４０  人感センサ（接近検出手段）
４１  検出部
４５  配線コード
５０  乗り場
５１  乗り場側出入口
５２  乗り場扉
６０  利用者
【図１】
2015048245.tif 000003
【図２】
2015048245.tif 000004
【図３】
2015048245.tif 000005
【図４】
2015048245.tif 000006
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
エレベータの乗りかごにおける前記乗りかごに乗降する際の出入口の下端部に配設され、前記エレベータの乗り場から前記乗りかごに乗り込む前記エレベータの利用者の接近を検出する接近検出手段と、
前記乗りかごに配設されていると共に、前記接近検出手段で前記利用者を検出した場合に、前記利用者に対して音声で注意喚起を行う注意喚起手段と、
前記接近検出手段及び前記注意喚起手段の作動の入切の切り替えを行う入切切替手段と、
を備えることを特徴とするエレベータ用注意喚起装置。